(57)【要約】【課題】  部品点数及び組立工数が少なく、電極部と安定して接触できる検査用治具及び検査用治具に用いる検査用プローブの提供。【解決手段】  先端部が検査点に接触し、後端部が電極部に接触する検査用プローブと、複数の電極部を有する接続体と、検査用プローブを保持する保持体とを有する検査用治具及びこれに用いる検査用プローブ。検査用プローブは、後端部に球形状の接触部を有している。保持体は、検査用プローブの前記後端部を電極部へ案内するための貫通孔が形成された板状の基礎部を有しており、この電極部側表面に弾性を有するシート部を備えている。検査用プローブは、保持体に挿入され、後端部がシート部で係止される。保持体が接続部に取り付けられると、シート部は変形し、その復元力によって後端部を電極部に圧接させる。【選択図】  図５
2011122909.tif 000002
【特許請求の範囲】
【請求項１】
先端部が検査対象物上に設定される所定検査位置と導通接触する検査用プローブと、前記検査用プローブの後端部と夫々導通接触する複数の電極部を有する接続体と、前記検査対象物と前記接続体との間に配置されるとともに前記検査用プローブを保持する保持体とからなる検査用治具であって、
前記検査用プローブは、
一方端に前記先端部を有し、可撓性を有する円柱状の導電性の導体部と、
前記導体部の他方端に接続され、該他方端と一体的に形成されるとともに、該他方端の外径よりも大きい直径を有する球形状の接触部を有し、
前記保持体は、
前記検査用プローブの前記後端部を電極部へ案内するための貫通孔が形成された板状の基礎部を有し、
前記基礎部は該基礎部の前記電極部側の表面に弾性を有するシート部を備え、
前記導体部が前記貫通孔に貫通挿入され、前記接触部が前記電極部に圧接されるように前記基礎部が配置されることを特徴とする検査用治具。
【請求項２】
先端部が検査対象物上に設定される所定検査位置と導通接触する検査用プローブと、前記検査用プローブの後端部と夫々導通接触する複数の電極部を有する接続体と、前記検査対象物と前記接続体との間に配置されるとともに前記検査用プローブを保持する保持体とからなる検査用治具であって、
前記検査用プローブは、
前記所定検査位置に導通接触する前記先端部となる一方端部と、
前記電極部に導通接触するとともに前記一方端部よりも幅広に形成される球形状の他方端部と、
前記一方端部と前記他方端部の間に配置され、前記一方端部と前記下方端部を近接離反可能に移動させる導電性のばね部を有し、
前記保持体は、
前記検査用プローブの前記後端部を電極部へ案内し、前記一方端部より幅広で前記他方端部より幅狭に形成される貫通孔を有する板状の基礎部を有し、
前記基礎部は該基礎部の前記電極部側の表面に弾性を有するシート部を備え、
前記検査用プローブが前記貫通孔に貫通挿入され、前記接触部が前記電極部に圧接されるように前記基礎部が配置されることを特徴とする検査用治具。
【請求項３】
前記複数の電極部が、該電極部が形成される同一表面において、相互に接続される導通接続部を有することを特徴とする請求項１又は２記載の検査用治具。
【請求項４】
前記複数の電極部のうち、一部の前記検査用プローブと電気的に接続される前記電極部が、検査装置と電気的に接続されることを特徴とする請求項１乃至３いずれかに記載の検査用治具。
【請求項５】
前記保持体が、長さの相違する複数の前記検査用プローブを保持することを特徴とする請求項１乃至４いずれかに記載の検査用治具。
【請求項６】
検査対象物の検査対象上面に対向して配置される上側検査用治具と、該検査対象物の検査対象下面に対向して配置される下側検査用治具とからなる一対の検査用治具であって、
前記下側検査用治具は、
先端部が検査対象物上に設定される所定検査位置と導通接触する検査用プローブと、前記検査用プローブの後端部と夫々導通接触するとともに検査対象物の検査を実施する検査装置と接続される複数の電極部を有する接続体と、前記検査対象物と前記接続体との間に配置されるとともに前記検査用プローブを保持する保持体とからなり、
前記下側検査用治具のみが、基板の検査を実施する基板検査装置と直接的に電気接続されており、
前記上側検査用治具は、
請求項１又は請求項２に記載の検査用治具であることを特徴とする上下一対の検査用治具。
【請求項７】
前記上側検査用治具の有する前記複数の電極部が、該電極部が形成される同一表面において、相互に接続される導通接続部を有することを特徴とする請求項６記載の検査用治具。
【発明の詳細な説明】
【技術分野】
【０００１】
本発明は、被検査物の検査対象部上に予め設定される検査点とこの検査を実施する検査装置とを電気的に接続する検査用治具に関する。
【背景技術】
【０００２】
検査用プローブが取り付けられる検査用治具は、この検査用プローブを経由して、被検査物が有する検査対象部に、検査装置から電流或いは電気信号を所定検査位置に供給するとともに、検査対象部から電気信号を検出することによって、検査対象部の電気的特性の検出、動作試験の実施等をする。
【０００３】
被検査物としては、例えば、プリント配線基板、フレキシブル基板、セラミック多層配線基板、液晶ディスプレイやプラズマディスプレイ用の電極板、及び半導体パッケージ用のパッケージ基板やフィルムキャリアなど種々の基板や、半導体ウェハや半導体チップやCSP(Chip size package)などの半導体装置が該当する。
【０００４】
被検査物が例えば基板であり、それに搭載されるものがＩＣ等の半導体回路や抵抗器やコンデンサなどの電気・電子部品の場合には、基板に形成された検査対象部が配線や電極になる。その場合には、検査対象部の配線が、それらに電気信号を正確に伝達できることを保証するために、電気・電子部品を実装する前のプリント配線基板、液晶パネルやプラズマディスプレイパネルの配線が形成された回路基板に設けられた検査点間の抵抗値やリーク電流等の電気的特性を測定し、その測定結果に基づいて、その配線の良否を判断している。
【０００５】
ここで、例えば特許文献１に開示される印刷配線基板検査用装置は、検査用接触子と、被検査基板と検査用接触子を接続するためのアダプターピンと、アダプターピンを保持する保持手段を備える。アダプターピンの一方の端部には球状体に形成された頭部を備え、他方の端部には印刷配線基板の検査用接触部と接続する接触端部を備える。そのアダプターピンの頭部には、検査接触子から突出する接触先端部が当接しており、接触先端部はスプリングによって突出する方向に付勢されている。
【０００６】
しかしながら、特許文献１に示される基板検査用装置では、アダプターピンの両端部をそれぞれ検査接触子の接触先端部及び基板の検査用接触部と適切に接触させるために、アダプターピンとは別体の検査接触子にスプリングを設けてある。そのため、検査用プローブとしては、アダプターピン及び検査接触子を必要とするとともに検査接触子の接触先端部をアダプターピンの頭部に当接させる必要があり、部品点数及び組立工数が多くなっている。また、部品点数が多いため、部品同士の接触部分も多くなっている。
また、検査接触子は微細である為、その製造及び組立を比較的容易にする必要がある。更に検査接触子と電極部との接触抵抗値の問題から検査接触子を安定して電極部と接触させる必要がある。
【先行技術文献】
【特許文献】
【０００７】
【特許文献１】特開昭６０−１１４７７７号公報
【発明の概要】
【発明が解決しようとする課題】
【０００８】
そこで、本発明は、部品としてのスプリング等を撤廃することで部品点数及び組立工数が少なく、電極部と安定して接触できる検査用治具及び検査用治具に用いる検査用プローブを提供することを目的とする。
【課題を解決するための手段】
【０００９】
請求項１記載の発明は、先端部が検査対象物上に設定される所定検査位置と導通接触する検査用プローブと、前記検査用プローブの後端部と夫々導通接触する複数の電極部を有する接続体と、前記検査対象物と前記接続体との間に配置されるとともに前記検査用プローブを保持する保持体とからなる検査用治具であって、前記検査用プローブは、一方端に前記先端部を有し、可撓性を有する円柱状の導電性の導体部と、前記導体部の他方端に接続され、該他方端と一体的に形成されるとともに、該他方端の外径よりも大きい直径を有する球形状の接触部を有し、前記保持体は、前記検査用プローブの前記後端部を電極部へ案内するための貫通孔が形成された板状の基礎部を有し、前記基礎部は該基礎部の前記電極部側の表面に弾性を有するシート部を備え、前記導体部が前記貫通孔に貫通挿入され、前記接触部が前記電極部に圧接されるように前記基礎部が配置されることを特徴とする検査用治具を提供する。
【００１０】
請求項２記載の発明は、先端部が検査対象物上に設定される所定検査位置と導通接触する検査用プローブと、前記検査用プローブの後端部と夫々導通接触する複数の電極部を有する接続体と、前記検査対象物と前記接続体との間に配置されるとともに前記検査用プローブを保持する保持体とからなる検査用治具であって、前記検査用プローブは、前記所定検査位置に導通接触する前記先端部となる一方端部と、前記電極部に導通接触するとともに前記一方端部よりも幅広に形成される球形状の他方端部と、前記一方端部と前記他方端部の間に配置され、前記一方端部と前記下方端部を近接離反可能に移動させる導電性のばね部を有し、前記保持体は、前記検査用プローブの前記後端部を電極部へ案内し、前記一方端部より幅広で前記他方端部より幅狭に形成される貫通孔を有する板状の基礎部を有し、前記基礎部は該基礎部の前記電極部側の表面に弾性を有するシート部を備え、前記検査用プローブが前記貫通孔に貫通挿入され、前記接触部が前記電極部に圧接されるように前記基礎部が配置されることを特徴とする検査用治具を提供する。
【００１１】
請求項３記載の発明は、前記複数の電極部が、該電極部が形成される同一表面において、相互に接続される導通接続部を有することを特徴とする請求項１又は２記載の検査用治具を提供する。
【００１２】
請求項４記載の発明は、前記複数の電極部のうち、一部の前記検査用プローブと電気的に接続される前記電極部が、検査装置と電気的に接続されることを特徴とする請求項１乃至３いずれかに記載の検査用治具を提供する。
【００１３】
請求項５記載の発明は、前記保持体が、長さの相違する複数の前記検査用プローブを保持することを特徴とする請求項１乃至４いずれかに記載の検査用治具を提供する。
【００１４】
請求項６記載の発明は、検査対象物の検査対象上面に対向して配置される上側検査用治具と、該検査対象物の検査対象下面に対向して配置される下側検査用治具とからなる一対の検査用治具であって、前記下側検査用治具は、先端部が検査対象物上に設定される所定検査位置と導通接触する検査用プローブと、前記検査用プローブの後端部と夫々導通接触するとともに検査対象物の検査を実施する検査装置と接続される複数の電極部を有する接続体と、前記検査対象物と前記接続体との間に配置されるとともに前記検査用プローブを保持する保持体とからなり、前記上側検査用治具は、請求項１又は請求項２に記載の検査用治具であることを特徴とする上下一対の検査用治具を提供する。
【００１５】
請求項７記載の発明は、前記上側検査用治具の有する前記複数の電極部が、該電極部が形成される同一表面において、相互に接続される導通接続部を有することを特徴とする請求項６記載の検査用治具を提供する。
【発明の効果】
【００１６】
請求項１記載の発明によれば、球形状の接触部を備え可撓性を有する検査用プローブの後端部が、保持体の基礎部が備える弾性を有するシート部と電極部の間に配置されることにより、検査用治具及び検査用プローブの部品点数を低減し、且つ安定して電極部と接触することができる。
【００１７】
請求項２記載の発明によれば、球形状の接触部とばね部を備える検査用プローブの後端部が、保持体の基礎部が備える弾性を有するシート部と電極部の間に配置されることにより、検査用治具及び検査用プローブの部品点数を低減し、且つ安定して電極部と接触することができる。
【００１８】
請求項３記載の発明によれば、検査装置と直接接続される電極部の数を低減し、低コスト化を図ることができる。
【００１９】
請求項４記載の発明によれば、電気信号入出力用の電極及びそれに接続される導線を他の電極や導線とは別に設けることによって、より簡易に検査用治具の入出力用のラインを設計できる。
【００２０】
請求項５記載の発明によれば、電気信号入出力用の電極及びそれに接続される導線や検査用プローブを他の電極や導線、検査用プローブとは別に設けることによって、より簡易に検査用治具の入出力用のラインを設計できる。
【００２１】
請求項６記載の発明によれば、球形状の接触部を備え可撓性を有する検査用プローブ又は球形状の後端部とばね部を備える検査用プローブの後端部が、保持体の基礎部が備える弾性を有するシート部と電極部の間に配置されることにより、検査用治具及び検査用プローブの部品点数を低減し、且つ安定して電極と接触することができる。また、上下一対の治具とすることで、検査点を被検査物の上下両面に有し、上下の検査点が被検査物の内部で導通するように配線されている被検査物の検査に用いることができる。
【００２２】
請求項７記載の発明によれば、上側検査用治具の検査装置に接続される電極部の数を低減することができる。また、検査装置が、下側検査用治具から被検査物の検査点に電気信号を入力し、上側検査用治具の導通接続部と検査用プローブを介して下側検査用治具から出力された信号を下側検査用治具を通じて検査装置が検出することができる。また、このような検査用治具を製造するコストを、従来の治具の製造コストと比して、極めて低減できるので、製品になる基板のみならず、試作品の基板に対しても検査用治具を製作することができるようになり、基板製作の際のプロセス管理に用いることができる。
【図面の簡単な説明】
【００２３】
【図１】本発明の一実施形態に係る検査用治具の概略の構成を示す側面図である。
【図２】（ａ）は本検査用治具１０に用いる検査用プローブ２０の側面図である。（ｂ）は、検査用プローブ２０を保持体１１に取り付けた際の概略断面図である。ただし、説明の都合上、検査用プローブ２０は断面図として示していない。
【図３】本検査用治具を組み立てる際の一工程を示す断面図であり、保持体１１及び接続体１５の断面図である。ただし説明の都合上、検査用プローブ２０は断面図として示していない。
【図４】本検査用治具１０の接続体の（ａ）概略断面図及び（ｂ）電極部１６が形成される表面を示す概略底面図である。尚、(ａ)の断面図は、（ｂ）のＡ‐Ａ線における断面図である。
【図５】（ａ）は本発明の第一実施例における検査用治具１０が被検査物の検査を実施する状態の概略断面図である。（ｂ）は本検査用治具１０の接続体１５を一部変更した場合の概略断面図である。ただし説明の都合上、検査用プローブ２０は断面図として示していない。
【図６】本発明の第二実施例における検査用治具１０’の概略断面図である。ただし説明の都合上、検査用プローブ２０及び検査用プローブ２０’は断面図として示していない。
【図７】本発明の第三実施例における検査用治具１０’’の概略断面図である。ただし説明の都合上、検査用プローブ２１は断面図として示していない。
【図８】本発明の第三実施例の検査用治具１０’’に用いる検査用プローブ２１の側面図である。ただし、説明の都合上、第二筒状部材２１ｂのみを断面図で示している。
【図９】本発明の第四実施例における検査用治具１０’’’の概略断面図である。ただし説明の都合上、検査用プローブ２０は断面図として示していない。
【発明を実施するための形態】
【００２４】
[第一実施例]
図１は、本発明に係る検査用治具１０の一実施形態の概略の構成を示す側面図である。図１においては、図面の簡略化の為に三本の検査用プローブ２０を示しているが、これらは三本に限られず、検査対象に設定される検査点に応じて本数が決定される。検査用治具１０は、複数の検査用プローブ２０を保持する保持体１１と、複数の電極部１６を有する接続体１５を備える。保持体１１は板状部材であるヘッド部１２及び基礎部１３を備える。ヘッド部１２及び基礎部１３は、棒状の支持部材１４によって所定の距離を有して保持されている。接続体１５は、表面に電極部１６が形成される板状の電極保持部１５１を備え、接続体支持部１５３により治具ベース部１９に取り付けられている。
【００２５】
図１の検査用治具１０に用いる検査用プローブ２０について説明する。
図２（ａ）は、図１の検査用治具１０に用いる本発明の第一実施例の検査用治具１０に係る検査用プローブ２０を示す。検査用プローブ２０は、導電性を有する先端部２０１と、導電性を有する接触部２０３と、それらの間に形成され、導電性を有する円柱形状の導体部２０２とを備える。
【００２６】
導体部２０２は後述する保持体１１の基礎部１３が有する貫通孔１３ｈの内径より僅かに小さい直径を有するように形成され、その一方端には先端部２０１が一体的に形成され、他方端には後端部２０３が一体的に形成される（図２（ｂ）参照）。導体部２０２は導電性の物質で形成されており、例えばタングステンあるいはその合金、ベリリウム銅やニッケル等で形成される。導体部２０２の形状は図２では円柱形状であるが、多角柱形状であっても良い。
【００２７】
先端部２０１は、その幅が導体部２０２の直径と同じか、より小さくなるよう形成される（図２（ｂ）参照）。先端部２０１は導電性の物質により形成されており、例えばタングステンやその合金あるいはベリリウム銅やニッケル等により形成される。先端部２０１を形成する物質は、導体部２０２と異なる物質であっても良いが、同一の物質であることが好ましい。導体部２０２の一方端を加工して先端部２０１を形成する方法が、先端部２０１の容易な形成方法であるからである。先端部２０１の形状は、図２では円錐形状であるが、この形状に限らず、被検査物に確実に接触できる形状であれば良く、例えば円柱形状、半球形状、クラウン形状、楔形状などに形成される。尚、先端部２０１に磨耗を防止するためのロジウムめっき、あるいは導電率を良くするための金めっき等のめっき処理を施すこともできる。
【００２８】
接触部２０３の形状は球形状であり、その直径は導体部２０２の直径より大きく形成される（図２（ｂ）参照）。接触部２０３は導電性の物質により形成されており、例えばタングステンやその合金あるいはベリリウム銅やニッケル等により形成される。接触部２０３を形成する物質は、導体部２０２と異なる物質であっても良いが、同一の物質であることが好ましい。導体部２０２の他方端を溶融して球形状に形成する方法が、接触部２０３の容易な形成方法であるからである。後端部２０３は、貫通孔１３ｈの直径より広い幅を有し、且つ電極部１６に確実に接触する形状に形成されていれば良く、例えば半球形状、矩形状、円柱形状等にも形成されるが、図２（ａ）で示される如く、球形状に形成されることが好ましい。詳細は後述するが、球形状の接触部２０３の一部から突出するように導体部２０２が形成されることにより、保持体１１に挿入された検査用プローブ２０の接触部２０３は、電極部１６とシート部１３１に球面で接触し、接触部２０３が、シート部１３１に保持されて、電極部１６に安定して接触することができる。
【００２９】
次に、検査用治具１０の構造について説明する。
図３は、保持体１１及び接続体１５の断面図である。
保持体１１は、検査用プローブ２０を保持するヘッド部１２及び基礎部１３を備え、ヘッド部１２及び基礎部１３を合わせた長さは、少なくとも導体部２０２の長さより短い厚さを有する。ヘッド部１２及び基礎部１３は、棒状の支持部材１４によって、少なくとも検査用プローブ２０の導体部２０２より短い所定の距離を有して保持されている（図２（ｂ）参照）。
ヘッド部１２は、樹脂あるいはセラミックス等の絶縁性の板状部材であり、第一板状部材１３ａ及び第二板状部材１３ｂを積層することにより形成されている（図２（ｂ）参照）。また、ヘッド部１２は、検査用プローブ２０の導体部２０２の外径より僅かに大きい内径を有する複数の貫通孔１２ｈを有している。図２（ｂ）では、ヘッド部１２は、二枚の板状部材により形成されているが、１枚の板状部材であっても良いし、三枚以上の板状部材を積層して形成しても良い。
【００３０】
複数の貫通孔１２ｈは、板状部材のヘッド部１２に板の表面から裏面に貫通して複数設けられている。検査用プローブ２０は、後述する基礎部１３の電極部１６側から保持体１１に挿入され、この貫通孔により先端部２０１が所定の検査点３０ａの位置に案内される。この貫通孔１２ｈは、内径の異なる第一孔１２ｈ１と第二孔１２ｈ２、及び第三孔１２ｈ３と第四孔１２ｈ４を同軸上に配置して連通連結した貫通孔として形成される（図２（ｂ）参照）。
【００３１】
第一板状部材１２ａは、第一孔１２ｈ１と第二孔１２ｈ２を有しており、第二板状部材１２ｂは、第三孔１２ｈ３と第四孔１２ｈ４を有している。
【００３２】
第一孔１２ｈ１は、第二孔１２ｈ２よりも基礎部１３側に形成され、検査用プローブ２０の導体部２０２の外径より僅かに大きい内径を有して形成される。
第二孔１２ｈ２は、第一孔１２ｈ１よりも基板３０側に形成され、第一孔１２ｈ１の外径より大きい内径を有して形成されることが好ましい。
第三孔１２ｈ３は、第四孔１２ｈ４よりも基礎部１３側に形成され、第二孔１２ｈ１と同一の内径を有して形成されることが好ましい。
第四孔１２ｈ４は、第三孔１２ｈ３よりも基板３０側に形成され、第一孔と同一の内径を有して形成されることが好ましい。
【００３３】
この貫通孔１２ｈは、検査用プローブ２０の導体部２０２の直径が小径である際に、機械加工による小径の貫通孔の成形を容易にしつつ板状部材の強度を確保するために、一つの板状部材につき二つの異なる内径を有する孔として形成されている。このため、機械加工による貫通孔の成形が容易であれば、特にこの形状に限定されるものではなく、一つの内径のみを有する孔として形成しても良い。、あるいは、必要に応じて三以上の異なる内径を有する孔として貫通孔１２ｈを形成しても良いことは言うまでもない。
【００３４】
基礎部１３は、ヘッド部１２と同様に、樹脂あるいはセラミックス等の絶縁性の板状部材からなり、第一板状部材１３ａと第二板状部材１３ｂを積層して形成されている（図２（ｂ）参照）。
第一板状部材１３ａは、電極部１６側表面にシート部１３１（後述する）を備えており、反対側の面には第二板状部材１３ｂが積層されている。また、第一板状部材１３ａは、電極部１６側表面から反対側の面にかけて貫通する第一孔１３ｈ１と第二孔１３ｈ２を有している。第二板状部材１３ｂは、第一板状部材１３ａ側の面から、反対側の面であるヘッド部１２側表面にかけて貫通する第三孔１３ｈ３と第四孔１３ｈ４を有している。
図２（ｂ）では、基礎部１３は、上述の二枚の板状部材を積層して形成されているが、一枚の板状部材であっても良く、あるいは三枚以上の板状部材を積層して形成しても良い。
【００３５】
基礎部１３は、電極部側の表面に少なくとも接触部２０３の直径より小さい所定の厚さを有するシート部１３１を備えており、このシート部１３１は所定の弾性特性を有するシート状の部材である。シート部１３１は一枚のシートであっても良いし、複数枚のシートを積層したものであっても良い。このシート部１３１は、弾性特性を有していれば良く、シート部１３１を構成するシートの材質や枚数等は適宜調整可能である。この弾性特性とは、詳細は後述するが、検査用プローブ２０の接触部２０３が電極部１６により圧接されたときに、接触部２０３に接触しているシート部１３１が接触部２０３の形状に応じて変形する程度の弾性特性である。尚、この弾性特性は、接触部２０３が圧接された際に押圧されたシート部１３１が、接触部２０３からの押圧力に応じて変形し、その復元力により接触部２０３を押圧する弾性を示すことができる特性であることが好ましい。
【００３６】
基礎部１３及びシート部１３１は、複数の貫通孔１３ｈを有し、この複数の貫通孔１３ｈは検査用プローブ２０の導体部２０２の外径より僅かに大きく、後端部２０３の直径より小さい内径を有する。この貫通孔１３ｈは、貫通孔１２ｈと同様に、内径の異なる第一孔１３ｈ１と第二孔１３ｈ２と第三孔１３ｈ３と第四孔１３ｈ４から成る。しかしながら、第一孔１３ｈ１と第二孔１３ｈ２、及び、第三孔１３ｈ３と第四孔１３ｈ４は夫々同軸に配置されているが、第二孔１３ｈ２と第三孔１３ｈ４は、僅かに軸をずらして配置される。これは、図２（ｂ）に示すように、検査用プローブ２０が保持体１１に挿入される際に、基礎部１３表面に対して垂直より僅かに傾きを有して挿入されるからである（詳細は後述する）。このため、第二孔１３ｈ２と第三孔１３ｈ３は、導体部２０２が傾斜して貫通孔１３ｈを挿通することができるように配置されることになる。尚、第一孔１３ｈ１〜第四孔１３ｈ２の配置は、特にこの配置に限定されるものではなく、導体部２０２が傾斜して貫通孔１３ｈを挿通することができれば良く、例えばすべての孔の軸を相互に僅かにずらして配置することもできる。
【００３７】
第一孔１３ｈ１は、第一板状部材１３ａに設けられ、検査用プローブ２０の導体部２０２の外径より僅かに大きい内径を有して基礎部１３の電極部１６側表面から所定の深さを有して形成される。
第二孔１３ｈ２は、第一板状部材１３ａに設けられ、第一孔１３ｈ１の内径より大きい内径を有して第一板状部材１３ａの電極部側表面と反対側の面から所定の深さまで第一孔１３ｈ１と同軸に形成される。
第三孔１３ｈ３は、第二板状部材１３ｂに設けられ、第二孔１２ｈ２と同一の内径を有して第二板状部材１３ｂの電極部１６側の面から所定の深さを有して形成される。
第四孔１３ｈ４は、第二板状部材１３ｂに設けられ、第一孔１３ｈ１と同一の内径を有して第二板状部材１３ｂのヘッド部１２側表面から所定の深さまで第三孔１３ｈ３と同軸に形成される。
図２（ｂ）では貫通孔１３は、貫通孔１２の場合と同様に、小径の貫通孔を機械加工により容易に成形するために二つの異なる内径を有する四つの孔を配置した貫通孔として形成されている。従って、機械加工による貫通孔１３の形成が容易であれば、特にこの形状に限定されるものではなく、同じ径のみを有する一つの貫通孔として形成しても良い。あるいは、必要に応じて三以上の異なる内径を有する孔を連通連結した貫通孔として貫通孔１３ｈを形成しても良いことは言うまでもない。
【００３８】
検査用プローブ２０は、貫通孔１３ｈからヘッド部１２側に向かって挿入され、検査用治具１０に装着されることになる。検査用プローブ２０は、平面視において、基礎部１３表面に対して垂直より僅かに傾きを有して挿入される。検査用プローブ２０がこの貫通孔１３ｈに挿入されたとき、検査用プローブ２０は、貫通孔１３ｈの内径と接触部２０３の直径との差により、貫通孔１３ｈにおいてシート部１３１表面に係止されることになる。貫通孔１３ｈと貫通孔１２ｈは、複数の検査用プローブ２０の導体部２０２が傾斜した状態で保持されるように配置されている（図３参照）。このように複数の検査用プローブ２０が一定方向に傾斜した状態で保持されることで、先端部２０１が検査点３０ａに押圧されたときに導体部２０２は撓むことになる。このため、先端部２０１は、導体部２０２の復元力により検査点を安定して圧接することができる。また、このように複数の検査用プローブ２０を一定方向に傾斜させて配置することにより、検査用プローブ２０同士の接触を防止することもできる。
【００３９】
シート部１３１表面に係止された検査用プローブ２０の接触部２０３は、保持体１１が接続体１５に取り付けられるとき、電極部１６と圧接される。このとき、接触部２０３は、電極部１６より受ける外力によりシート部１３１表面を押圧する。押圧されたシート部１３１はその弾性特性に従い、外力に応じて変形する。変形したシート部１３１は、その弾性力により接触部２０３を電極部１６に圧接させることになる。そして、複数の接触部２０３の大きさにばらつきがあっても、そのばらつきをシート部１３１で吸収することになる。
【００４０】
接続体１５は、表面に電極部１６が形成される板状の電極保持部１５１を備えており、接続体支持部１５３により板状部材である治具ベース部１９の一面と所定の距離を有して取り付けられている（図１参照）。ここで言う所定の距離とは、検査用治具１０が図示せぬ検査装置に取り付けられて検査装置が検査動作を行ったときに、検査用プローブ２０の先端部２０１が被検査物の検査点に圧接されることができる程度の距離であり、使用者により適宜調整可能である。
【００４１】
電極部１６は、絶縁体の板状部材である電極保持部１５１の保持部１１側の同一表面上に複数形成される。電極部１６は導電性の物質により形成されており、導電性の素材に金めっきを施して形成されることが好ましい。複数の電極部１６は、エッチング等により一括して形成されることが好ましい。
【００４２】
図４（ａ）は接続体１５の概略断面図であり、（ｂ）は（ａ）の接続体の概略底面図である。図４（ａ）、（ｂ）に示すように、電極保持部１５１は、その同一表面上に複数の電極部１６を相互に接続する導通接続部１６ａを有している。導通接続部１６ａは複数の電極部１６を電気的に接続する。導通接続部１６ａは導電性の物質により形成されており、電極部１６と同じく金めっきにより形成されることが好ましいが、異なる物質で形成されても良い。図では二つの電極部１６が導通接続部１６ａにより接続されているが、三つ以上の電極部１６が接続されるように形成しても良い。また、導通接続部１６ａは、電極部１６が形成されると同時に一体的に形成することが好ましいが、電極部１６が形成された後に形成しても良い。このように二つ以上の電極部１６が導通接続部１６ａを介して接続されることにより、接続体１５に保持体１１が取り付けられた際に、接触部２０３同士が電気的に接続されることになる。
【００４３】
図５（ａ）は、本検査用治具に検査用プローブ２０を挿入した保持体１１を接続体１５に取り付けた際の保持体１１及び接続体１５の概略断面図である。保持体１１に挿入された複数の検査用プローブ２０の接触部２０３は、対応する電極部１６に夫々接触するように取り付けられる。保持体１１を接続体１５に取り付けるときには、電極部１６の保持体側表面と基礎部１３の電極部側表面との幅ｄ１が、少なくとも検査用プローブ２０の接触部２０３の直径より小さくなるように設置する。このように保持体１１を接続体１５に取り付けると、電極部１６と圧接される接触部２０３は、電極部１６より受ける外力に応じてシート部１３１表面を押圧する。押圧されたシート部１３１は外力に応じて弾性変形する。弾性変形したシート部１３１は、その復元力により接触部２０３を電極部１６に圧接させる。このようにシート部１３１の弾性力を利用して接触部２０３を電極部１６に圧接させることにより、複数の接触部２０３の大きさに多少のばらつきがあっても、シート部１３１により大きさのばらつきが吸収され、複数の接触部２０３を複数の電極部１６夫々に接触させることができる。
【００４４】
また、図５（ａ）に示すように、被検査物の検査時には、検査用治具１０の下方に、検査対象の被検査物３０を配置し、検査用プローブ２０の先端部２０１を所定の検査点、例えば、検査点３０ａに接触させて、検査点間の電気的特性の検査を行う。
尚、導体部２０２は可撓性を有しているため、検査用プローブ２０は先端部２０１が所定の検査点３０ａに接触すると導体部２０２が湾曲し、導体部２０２の有する復元力により先端部２０１が検査点に圧接されることになる。
【００４５】
第一実施例の検査用治具１０の電極部１６を一部変更した場合の実施例を説明する。
図５（ｂ）に示すように、第一実施例における検査用治具１０において、検査装置と接続される所定の電極部１６ｄと、検査装置と電気的に接続される導線１７と、所定の電極部１６ｄと導線１７を電気的に接続する引出線１８が設けられている。
すなわち、所定の電極部１６ｄは、引出線１８及び導線１７を介して検査装置と電気的に接続されている。
【００４６】
検査装置と接続される所定の電極部１６ｄは、図５（ａ）に示される第一実施例の電極部１６とは別に設けられており、電極部１６と同様に電極保持部１５１の電極部形成面に形成され、引出線１８と電気的に接続される。電極保持部１５１における、所定の電極部１６ｄが形成される位置には複数の貫通孔１５１ｈが設けられている。所定の電極部１６ｄに接続された引出線１８は、この貫通孔を通じて電極部１６が設けられる面とは反対側に設置される。
【００４７】
引出線１８は、その一端が所定の電極部１６ｄと電気的に接続され、貫通孔１５１ｈを通って電極保持部１５１の電極部１６側から治具ベース部１９側へ設置され、更に電極保持部１５１の治具ベース部側に設置され、他端は導線１７と電気的に接続される。引出線１８は、所定の電極部１６ｄと導線１７を電気的に接続できればよく、リード線により形成されても良いし、薄膜技術により形成されても良い。尚、図５（ｂ）では、薄膜技術を用いて形成された場合を示している。
【００４８】
このように他の電極部１６とは別に電極部１６ｄを設けることによって、所定の電極部１６ｄは、例えば検査時に検査装置からの電気信号を入出力するための電極部として利用することができる。
【００４９】
[第二実施例]
図６は、本発明の第二実施例における検査用治具１０’の概略断面図である。尚、図１と同様に図６においては、図面の簡略化の為に二本の検査用プローブ２０と、一本の検査用プローブ２０’を示しているが、これらはこの本数に限られず、検査対象に設定される検査点に応じて夫々の本数が決定される。
この第二実施例の検査用治具１０’は、第一実施例の検査用治具１０に比して、検査装置（図示せず）からの電気信号を入出力する電極部１６の構造が相違している。
【００５０】
第二実施例に係る検査用治具１０’に用いる検査用プローブ２０’について説明する。
検査用プローブ２０’は、検査用プローブ２０の先端部２０１及び接触部２０３と同一の先端部２０１及び接触部２０３と、検査用プローブ２０の導体部２０２と導体部２０２の長軸方向の長さのみが異なる導体部２０２’を有する。導体部２０２’の長さは、導体部２０２の長さより長く形成されており、例えば第一電極部１６１が形成される電極保持部１５１’の厚さ分だけ長く形成される。
尚、検査用プローブ２０’は、検査用プローブ２０と同様に、後述する保持体１１’に取り付けられるが、検査用プローブ２０のストロークが十分ある場合は、検査用プローブ２０’の長さは、検査用プローブ２０と同一の長さであっても良い。尚、この場合、検査用プローブ２０’が、検査点３０ａに接触する際には、所定の接触圧を満足させる必要がある。
【００５１】
第二実施例に用いる保持体１１’の構造は、第一実施例の保持体１１と略同一であるため相違点のみを説明し、同一点の説明は省略する。
【００５２】
保持体１１’は、複数の検査用プローブ２０と複数の検査用プローブ２０’を保持する。複数の検査用プローブ２０’は、保持体１１’を後述する接続体１５’に取り付けたときに、第二電極部１６２（後述する）に接触部２０３が接触するように配置され、貫通孔１３ｈに挿入される。複数の検査用プローブ２０は、第一電極部１６１（後述する）に接触部２０３が接触するように配置され、貫通孔１３ｈに挿入される。尚、ヘッド部１２は、第一実施例のヘッド部１２と同一であるため説明を省略する。
【００５３】
基礎部１３’の有するシート部１３１’は、第一実施例のシート部１３１と同様に、所定の弾性特性を有するシート状の部材である。シート部１３１’は少なくとも検査用プローブ２０の接触部２０３の直径よりも大きい厚さｄ２を有するように形成される。シート部１３１’は一枚のシートであっても良いし、複数枚のシートを積層したものであっても良い。このシート部１３１’は、弾性特性を有していれば良く、シート部１３１’を構成するシートの材質や枚数等は適宜調整可能である。この弾性特性とは、詳細は後述するが、検査用プローブ２０の接触部２０３が電極部１６により圧接されたときに、接触部２０３に接触しているシート部１３１’が接触部２０３の形状に応じて変形する程度の弾性特性である。尚、この弾性特性は、接触部２０３が圧接された際に押圧されたシート部１３１’が、接触部からの押圧力に応じて変形し、その復元力により接触部２０３を押圧する弾性を示すことができる特性であることが好ましい。
【００５４】
第二実施例に係る検査用治具１０’の接続体１５’の構造について説明する。
接続体１５’は、第一電極部１６１と第二電極部１６２及び第一電極部１６１が形成される第一電極保持部１５１’と第二電極部１６２が形成される第二電極保持部１５２を有する。第一電極保持部１５１’と第二電極保持部１５２はともに絶縁体である板状部材である。接続体１５’は、第一電極保持部１５１’と第二電極保持部１５２を積層して構成されている（図６参照）。
【００５５】
第一電極部１６１は第一実施例の電極部１６と同一であるため説明を省略する。第一電極保持部１５１’は、第一実施例の電極保持部１５１と略同一であるが、第一電極保持部１５１’は第二電極部１６２が形成される位置に検査用プローブ２０’の接触部２０３の直径より僅かに大きい内径を有する貫通孔１５１ｈ’を有する。貫通孔１５１ｈ’は、第二電極部１６２の数と同数形成されている。
【００５６】
第二電極部１６２は、第二電極保持部１５２の一方側表面に形成される。
第二電極保持部１５２の第二電極部１６２を形成する箇所には、第二電極保持部１５２の治具ベース部１９側表面から第一電極保持部１５１’側表面にかけて導線１７の直径と略同径あるいは僅かに大きい内径を有した貫通孔１５２ｈが形成されている。
【００５７】
導線１７は、貫通孔１５２ｈに挿入され、その一端が第二電極保持部１５２の第一電極保持部１５１’側表面と面一となるように形成されており、他端は図示せぬ検査装置に接続されている。第二電極部１６２は、導線１７の一端の端面に形成される。第二電極部は導電性の物質により形成されており、導電性の素材に金めっきを施して形成されることが好ましい。金めっきの素材は導線１７と同一の物質であっても良いし、異なる物質であっても良い。
【００５８】
保持体１１’を接続体１５’に取り付けるときには、第一電極部１６１と検査用プローブ２０の接触部２０３が接触するように取り付け、第二電極部１６２と検査用プローブ２０’の接触部２０３が接触するように取り付ける（図６参照）。このとき検査用プローブ２０の接触部２０３の直径は第一電極部１６１の接続体側表面と基礎部１３の電極部側表面との幅より大きいため、接触部２０３は第一電極部１６１からの外力に応じてシート部１３１’を弾性変形させる。弾性変形したシート部１３１’は、その復元力により接触部２０３を第一電極部１６１に圧接する。また、検査用プローブ２０’の接触部２０３の直径は第二電極部１６２の接続体側表面と基礎部１３’の電極部側表面との幅ｄ３より大きいため、接触部２０３は第二電極部１６２からの外力に応じてシート部１３１’を弾性変形させる。弾性変形したシート部１３１’は、その復元力により接触部２０３を第二電極部１６２に押接する。すなわち、検査用プローブ２０の接触部２０３は、シート部１３１’の弾性力により第一電極部１６１と接触していることになる。また、検査用プローブ２０’の接触部２０３は、第二電極部１６２と接触していることになる。このようにシート部１３１’の弾性力を利用することにより、複数の接触部２０３の大きさにばらつきがあっても、そのばらつきをシート部１３１’が吸収し、複数の接触部２０３を複数の第一電極部１６１及び第二電極部１６２夫々に接触させることができる。
【００５９】
このように第一電極部１６１と第二電極部１６２を設けることによって、第二電極部１６２を、例えば検査時に検査装置からの電気信号を出入力するための電極部として利用することができる。
【００６０】
[第三実施例]
第三実施例の検査用治具１０’’は、第一実施例の検査用治具１０と比して、装着される検査用プローブが相違している。
図７は、本発明の第三実施例における検査用治具１０’’の概略断面図である。尚、第一実施例と同様に図７においては、図面の簡略化の為に三本の検査用プローブ２１を示しているが、これらは三本に限られず、検査対象に設定される検査点に応じて本数が決定される。
【００６１】
第三実施例に係る検査用治具１０’’に用いる検査用プローブ２１について説明する。
検査用プローブ２１は、第一筒状部材２１ａと第二筒状部材２１ｂを有する（図８参照）。第一筒状部材２１ａは、導電性の筒状部材であり、一方端部２１１と他方端部２１３、及び一方端部２１１と他方端部２１３の間に設けられるばね部２１２とを有する。一方端部２１１は、検査点３０ａに当接し、他方端部２１３は電極部１６に圧接されることになる（図７参照）。第二筒状部材２１ｂは、詳細は後述するが、ばね部２１２を収容する部材である。
【００６２】
第一筒状部材２１ａは、後述する第二筒状部材２１ｂの内径より僅かに小さい外径を有する筒形状の部材であり、一方端部２１１と他方端部２１３、及び一方端部２１１と他方端部２１３の間に設けられるばね部２１２とを同軸上に有する（図８参照）。
一方端部２１１は、筒形状の部材であり、一端２１１ａと他端２１１ｂを有する。一方端部２１１の一端２１１ａは、第一筒状部材２１ａの先端部であり、検査時には検査点３０ａに当接する。他端２１１ｂは、後述するばね部２１２の一端２１２ａと連通連結される。
他方端部２１３は、筒形状の部材２１３ａと球形状の接触部２１３ｂを有している。筒形状の部材２１３ａは、一端２１３ａ１と他端２１３ａ２を有する。筒状部材２１３ａの一端２１３ａ１は、後述するばね部２１２の他端２１２ｂと連通連結される。他端２１３ａ２には、球形状の接触部２１３ｂが一体的に形成されている。接触部２１３ｂは、球形状が一体的に形成されている筒形状の部材２１３ａの外径より大きい直径を有している。尚、接触部２１３ｂは、第一筒状部材２１ａの後端部であり、詳細は後述するが、検査用治具１０’’に取り付けられた際に、電極部１６と接触することになる。
ばね部２１２は、その筒壁に螺旋状の切欠を有する筒形状の部材である。この切欠により、長軸方向に伸縮可能なばねとして機能することになる。ばね部２１２は、一方端部２１１と他方端部２１３の間に設けられ、一端２１２aと他端２１２ｂを有する。ばね部２１２の一端２１２ａは、一方端部２１１の他端２１１ｂと連通連結される。他端２１２ｂは、他方端部２１３の一端２１３ａ１と連通連結される。尚、このばね部２１２は、図８では一つのみ設けられているが、一方端部２１１と他方端部２１３の間に複数個設けることもできる。
【００６３】
説明の都合上、一方端部２１１の他端２１１ｂとばね部２１２の一端２１２ａ、及び他方端部２１３が有する筒形状の部材２３１ａの一端２１３ａ１とばね部２１２の他端２１２ｂは、異なる符号をつけて呼称しているが、実際には第一筒状部材２１ａ上に存在する同一の部位である。すなわち、一方端部２１１の他端２１１ｂとばね部２１２の一端２１２ａは同一の部位であり、他方端部２１３が有する筒形状の部材２３１ａの一端２１３ａ１とばね部２１２の他端２１２ｂも同一の部位である。
尚、一方端部２１１とばね部２１２、及び他方端部２１３の長さは、使用者により適宜変更可能である。
【００６４】
第一筒状部材２１ａは、一方端２１１とばね部２１２及び他方端２１３が一体的に形成されているが、例えば、以下に示す方法によって製造される。
所定の長さと外径及び内径を有する筒状部材に、筒壁に沿って螺旋状の切欠を形成する。切欠の形成には、例えばレーザ等を用いることができる。切欠を形成した筒状部材の一端を融解させて、所定の直径を有する球形状を形成する。筒状部材の融解には、例えばレーザを用いて加熱する。このように筒状部材を加工することにより、一方端２１１とばね部２１２と他方端２１３が一体的に形成されている第一筒状部材２１ａを製造することができる。
【００６５】
第二筒状部材２１ｂは、第一筒状部材２１ａの外径より僅かに大きい内径と、貫通孔１２ｈ’の直径より僅かに大きい外径を有する筒状部材である。第二筒状部材２１ｂは、少なくとも第一筒状部材２１ａに形成されているばね部２１２の長軸方向の長さより長く、第一筒状部材２１ａの全長から接触部２１３が有する球形状の直径を除いた長さより短く形成される。この第二筒状部材２１ｂは、少なくとも上記の長さを有してばね部２１２をその内部に収容するように配置され、ばね部２１２が収縮する際の短軸方向のずれを防止する。このため、第二筒状部材２１ｂは、ばね部２１２をガイドすることのできる程度の剛性を有する部材で筒状に形成される必要がある。また、この第二筒状部材２１ｂは、導電性／非導電性の物質のいずれかを用いて形成されても良い。導電性の物質を用いた場合、検査動作時に第一筒状部材２１ａと第二筒状部材２１ｂが接触して導通状態となるため、電気信号の流れる断面積が増加することになるため、安定して電気信号を伝達することができるので、より精度の良い検査を実施することができる。非導電性の物質を用いた場合、検査動作時に近接するプローブ同士が接触しても、非導電性の第二筒状部材２１ｂ同士が接触することになり、プローブ同士の絶縁性を確保することができる。
尚、導電性の第二筒状部材２１ｂの外周表面に非導電性の材料を被覆して、短絡を防止するようにしても良い。この非導電性の材料としては、例えばフッ素系、あるいはエポキシ系の塗布剤を第二筒状部材２１ｂの外周表面に塗布することができる。
【００６６】
この第一筒状部材２１ａは、第二筒状部材２１ｂ内にばね部２１２の全長が収容されるように配置され、更に、第二筒状部材の両端から一方端部２１１及び他方端部２１３が突出するように配置される（図８参照）。
第一筒状部材２１ａと第二筒状部材２１ｂは、第一筒状部材２１ａのばね部２１２より一端側の位置で固定される。
また、後述する保持体１１’’に検査用プローブ２１が挿入され、電極部１５に取り付けられた際には、第二筒状部材の基板３０側の端が、ヘッド部１２’の電極部１５側表面を僅かに圧接するように第二筒状部材２１ｂを配置することが好ましい。このように第二筒状部材２１ｂを配置することで、保持体１１’’を電極部１５に取り付けた際に検査用プローブ２１を安定して保持することができるからである。
【００６７】
検査が実施される場合には、検査用治具の検査用プローブ２１が基板３０の検査点３０ａに圧接されるようにｚ軸方向の移動が行われることにより、この一方端部２１１が検査点３０ａに当接するとともに、ばね部２１２の収縮が始まり、他方端部２１３が第二筒状部材２１ｂ内に押し込まれることになる。
尚、第一筒状部材２１ａと第二筒状部材２１ｂの固定方法は、例えば、溶接や接着剤を用いる方法、あるいは第二筒状部材２１ｂの外周を押圧してかしめる方法を用いることができる。
【００６８】
第三実施例に用いる保持体１１’’の構造は、第一実施例の保持体１１と略同一であるため相違点のみを説明し、同一点の説明は省略する。
保持体１１’’は、複数の貫通孔１２ｈ’を有するヘッド部１２’と複数の貫通孔１３ｈ’を有する基礎部１３’を備える。
【００６９】
複数の貫通孔１２ｈ'は、板状部材であるヘッド部１２’に板の表面から裏面に貫通して複数設けられている。後述する基礎部１３’の電極部側から保持体１１''に挿入された検査用プローブ２１の一方端部２１１は、この貫通孔により所定の検査点３０ａの位置に案内される。この貫通孔１２ｈ'は、検査用プローブ２１の第一筒状部材２１ａの外径より僅かに大きい内径を有してヘッド部１２に形成される。図７では貫通孔１２ｈ'は、一つの径を有する孔のみで形成されているが、一方端部２１１が小径である場合は機械加工により貫通孔を容易に形成しつつ強度を確保するために、二以上の異なる内径を有する孔を同軸に連通連結して形成しても良い。
また、ヘッド部１２'を構成する板状部材は一枚の板状部材であっても良く、複数枚の板状部材を積層して形成しても良い。尚、図７のヘッド部１２'は、一枚の板状部材から形成されている。
【００７０】
基礎部１３'は、複数の貫通孔１３ｈ'を有している。この貫通孔１３ｈ'は、検査用プローブ２１の第二筒状部材２１ｂの外径より僅かに大きく、他方端部２１３の球形状の接触部２１３ｂの直径より小さい径を有して基礎部１３'に形成される。図７では、貫通孔１３ｈ'は一つの径を有する孔のみで形成されているが、複数の径を有する孔を同軸上に連通連結して形成しても良い。
【００７１】
保持体１１’’は、検査用プローブ２１が挿入されたときに、ヘッド部１２’及び基礎部１３’に対して垂直に保持されるようにヘッド部１２’及び基礎部１３’が配置されていることが好ましい。検査用プローブ２１が垂直に保持されることによって、検査用プローブ２１の先端部２１１が検査点に当接したときに、ばね部２１２が最も好適に伸縮することができるからである。
【００７２】
検査用プローブ２１は、この貫通孔１３ｈ’からヘッド部１２’側に向かって挿入され、検査用治具１０’’に装着されることになる。検査用プローブ２１がこの貫通孔１３ｈ’に挿入されたとき、検査用プローブ２１は、貫通孔１３ｈ’の径と接触部２１３ｂの直径との差により、貫通孔１３ｈ’においてシート部１３１’表面に係止されることになる。
【００７３】
接続体１５は、第一実施例における接続体１５と同一であるため、説明を省略する。
【００７４】
また、図７に示すように、被検査物の検査時には、検査用治具１０’’の下方に、検査対象の被検査物３０を配置し、検査用治具１０’’を下降等させて、検査用プローブ２１の一方端部２１１を所定の検査点、例えば、３０ａに接触させ、対象部の電気的特性の検査を行う。
尚、検査用プローブ２１はばね部２１２を有しているため、一方端部２１１が所定の検査点３０ａに接触するとばね部２１２が圧縮され、ばね部２１２の有する復元力によって一方端部２１１が検査点に圧接されて検査を行う。
【００７５】
[第四実施例]
図９は、本発明の第四実施例における検査用治具１０’’’の概略の構成を示す概略断面図である。但し、図面中に示されている検査用プローブに関しては、説明の都合上、断面表示していない。尚、図１と同様に図９では、図面の簡略化の為に三本の検査用プローブ２０を示しているが、これらは三本に限られず、検査対象に設定される検査点に応じて本数が決定される。
【００７６】
検査用治具１０’’’は、検査対象上面に対向して配置される上側検査用治具１０１と検査対象下面に対向して配置される下側検査用治具１０２を有する。この第四実施例の検査用治具１０’’’は、上側検査用治具１０１と下側検査用治具１０２が、基板３１を挟んで配置される一対の検査用治具として形成されている。尚、上側及び下側という表現は、図９の説明の都合上用いる表現であり、基板の一方表面を上側、基板の他方表面を下側と定義している。
【００７７】
この上側検査用治具１０１は、第一実施例における検査用治具１０と同一であるため説明を省略する。
【００７８】
下側検査用治具１０２は、第一実施例における保持体１１と同一の保持体１０２ａと、複数の電極部１０２ｃを有する接続体１０２ｂを備える。接続体１０２ｂは、保持体１０２ａを支持するとともに、各検査用プローブ２０と接触して導通状態となる電極部１０２ｃ、電極部１０２ｃから電気的に接続されて延設される導線部１０２ｄを有している。
【００７９】
電極部１０２ｃは、導線１０２ｄの端面に形成され、夫々の電極部１０２ｃが各検査用プローブの接触部２０３と接触するように形成されている。電極部１０２ｃは第一実施形態の電極部１６と同じく金めっきにより形成されることが好ましいが、異なる物質で形成されることもできる。
【００８０】
導線１０２ｄは、電極部１０２ｃが形成される電極保持部１０２ｅを貫通して保持されており、一端が電極部１０２ｃに電気的に接続され、他端が図示せぬ検査装置に電気的に接続されている。尚、導線１０２ｄの一端の端面は、電極保持部１０２ｅの電極部側表面と面一になるように形成されており、導線１０２ｄの端面に形成される電極部１０２ｃは、電極保持部１０２ｅの電極部側表面に形成されることになる。
【００８１】
図９に示す一対の検査用治具１０’’’では、上側に配置される上側検査用治具１０１が検査装置に直接接続されておらず、下側に配置される下側検査用治具１０２のみが直接接続されている。つまり、基板の配線を検査する検査信号が、下側検査用治具１０２のみを介して検査装置から供給され、配線の良不良を判定するための配線から検出される検出信号が、下側検査用治具１０２のみを介して検査装置へ送信されることになる。
【００８２】
このように下側検査用治具１０２のみが検査装置に接続される構成であるため、上側検査用治具１０１を単純な構造とすることができる。
【００８３】
この一対の検査用治具１０’’’は、上記の如く形成されることになるが、上側検査用治具１０１に形成される電極部１６と導通接続部１６ａは、製造工程が同じ若しくは類似する製造プロセスを有する検査対象の配線を接続するように形成される。このように製造工程が同じ複数の配線を直列接続して、一つの検査対象の配線群を設定することにより、この配線群の検査を行うことになる。つまり、配線群の検査を行うことにより、各工程で形成される配線群の抵抗値の状態を検出することができるようになる。
尚、配線群を形成することになる上側検査用治具１０１に形成される電極部１６と導通接続部１６ａは、製造工程毎に配線群を形成することになるが、一つの製造工程毎に少なくとも一つの配線群を形成するようにすれば良く、一つの製造工程に対して複数の配線群を形成して、検査を実施することもできる。
【００８４】
このように検査用治具１０’’’を形成することにより、試作段階の基板を検査し、製造工程の状況確認を実施するために、好適に利用されることができる。このため、第四実施例の検査用治具１０’’’は極めて簡便な構成であり、且つ低コストで製造することができるため、製造された基板から製造工程の検査を実施する場合の廉価な検査用治具として利用することができるようになる。
【符号の説明】
【００８５】
１０・・・検査用治具
１１・・・保持体
１２・・・ヘッド部
１３・・・基礎部
１３１・・シート部
１４・・・支持部
１５・・・接続体
１６・・・電極部
１６ａ・・導通接続部
１７・・・導線
１８・・・引出線
１９・・・治具ベース部
２０・・・検査用プローブ
２０１・・先端部
２０２・・導体部
２０３・・後端部
２１・・・検査用プローブ
２１ａ・・第一筒状部材
２１ｂ・・第二筒状部材
２１１・・一方端部
２１２・・ばね部
２１３・・他方端部
３０・・・被検査物
３０ａ・・検査点
３１・・・被検査物
３１ａ・・検査点
【図１】
2011122909.tif 000003
【図２】
2011122909.tif 000004
【図３】
2011122909.tif 000005
【図４】
2011122909.tif 000006
【図５】
2011122909.tif 000007
【図６】
2011122909.tif 000008
【図７】
2011122909.tif 000009
【図８】
2011122909.tif 000010
【図９】
2011122909.tif 000011